(57)【要約】【課題】ＲＤＳデータを受信できるラジオ受信機がダイナミックＰＳを受信することに関するものであって、ダイナミックＰＳから文章データを構成し、いつでもユーザーに放送局から送信したメッセージを確認できるラジオ受信機を提供することを目的とする。【解決手段】ラジオ受信機Ｒは、受信したダイナミックＰＳデータの送信方式を判断する処理Ｓ１１と、ダイナミックＰＳデータから文章データを生成する処理Ｓ１４と、Ｓ１４で生成した文章データを記憶する処理Ｓ１５と、ダイナミックＰＳによる文書データを生成するためのＰＳデータが一通り取得できたことを判定する処理Ｓ１８と、取得したダイナミックＰＳデータから生成した文章データを表示する。【選択図】図２
2012182693.tif 000002
【特許請求の範囲】
【請求項１】
放送局から送信されるデジタル多重ＦＭ放送を受信するラジオ受信部と、
前記ラジオ受信部で受信したダイナミックＰＳを前記放送局の識別コードに関連するＰＳデータを記憶する記憶部と、
前記記憶部に記憶されたダイナミックＰＳを表示する表示部と、
前記ラジオ受信部、前記記憶部、前記表示部をそれぞれ制御する制御部とを備え、
前記表示部は、前記ラジオ受信部で受信した分割されているダイナミックＰＳをまとめて文章にして表示することを特徴とするラジオ受信機。
【請求項２】
前記ラジオ受信機は、
受信状況が悪化した際に、ＰＳデータが取得できない受信状況であるか否かを検出して文章データの連続性を判定する検出判定部を備えることを特徴とする請求項１に記載のラジオ受信機。
【請求項３】
前記ラジオ受信機は、前記文章データを全て取得する際に、時間を要すること又は文章の先頭となるＰＳデータが検出できないときにユーザに通知する通知部を備えることを特徴とする請求項１又は請求項２のいずれかに記載のラジオ受信機。
【発明の詳細な説明】
【技術分野】
【０００１】
本発明は、文字情報と多重放送を受信してその周波数と、その文字情報から文章情報として記憶し表示することができるラジオ受信機に関するものである。
【背景技術】
【０００２】
ＲＤＳ（Ｒａｄｉｏ  Ｄａｔａ  Ｓｙｓｔｅｍ）対応のラジオ受信機においては、放送局名称表示という機能が知られている。これは、ある周波数を受信した放送局がＲＤＳ対応のもの（以下、「ＲＤＳ局」という）の場合、ＲＤＳ多重データのＰＳデータ（Ｐｒｏｇｒａｍ  Ｓｅｒｖｉｃｅ  Ｎａｍｅ；放送局名データ）により８バイトまでの文字列として送られるため、ＲＤＳ局を受信できるラジオ受信機はそれを使用して現に受信している受信放送局の放送局名を表示装置に表示させることができるものが知られている。また、このＰＳデータは放送局名を送信するのが一般的であるが、ドイツなどの普及地域においては、広告や音楽情報などを併せて放送局名ではなく文章を送信する放送局が最近増えてきている。このようにＲＤＳ局から文章を送信する際に、数秒間隔でＰＳデータを変更することで送信するダイナミックＰＳといわれ、例えば、何種類かのＰＳを数秒ずつ送信し、組み合わせると１つの文章になるものや、１つの長い文章を１文字ずつスクロールさせ、８文字ずつ送信してくるものが知られている。
【０００３】
従来のダイナミックＰＳを考慮した放送局名称を表示する技術としては、ダイナミックＰＳを行うＲＤＳ局についても良好に分類されたプリセットメモリテーブルが得られるようにし、ダイナミックＰＳを行うＲＤＳ局を呼び出したとき、無意味で整合性のない情報が表示されないように防止するものがある（特許文献１）。
【先行技術文献】
【特許文献】
【０００４】
【特許文献１】特開２００２−１３５１４８号公報
【発明の概要】
【発明が解決しようとする課題】
【０００５】
従来のダイナミックＰＳは、プリセットメモリなどに表示される放送局名称に着目したものがほとんどであり、ダイナミックＰＳで送信される文章データをユーザーに目視できる方法を示唆するものは見受けられていない。また、ユーザーが放送局から送信されたダイナミックＰＳの文章情報をすべて確認するためには、数秒間隔に表示されるＰＳデータがすべて表示するまで見続けなければならず、ダイナミックＰＳで送信されてきている文章情報を確認することができないという問題があった。
【０００６】
そこで本発明は、ＲＤＳ局から送信されたデータがダイナミックＰＳの時に、放送局から送信されたＰＳデータを文章として記憶し、まとめて文章として表示することができるラジオ受信機を提供することを目的とする。
【課題を解決するための手段】
【０００７】
本発明のラジオ受信機は、放送局から送信されるデジタル多重ＦＭ放送（ＲＤＳ）を受信するラジオ受信部と、前記ラジオ受信部で受信したダイナミックＰＳを前記放送局の識別コードに関連するＰＳデータを記憶する記憶部と、前記記憶部に記憶されたダイナミックＰＳを表示する表示部と、前記ラジオ受信部、前記記憶部、前記表示部をそれぞれ制御する制御部とを備え、前記表示部は、前記ラジオ受信部で受信した分割されているダイナミックＰＳをまとめて文章にして表示することを特徴とする。
【０００８】
前記ラジオ受信機は、受信状況が悪化した際に、ＰＳデータが取得できない受信状況であるか否かを検出して文章データの連続性を判定する検出判定部を備えることを特徴とする。
【０００９】
前記ラジオ受信機は、前記文章データを全て取得する際に、時間を要すること又は文章の先頭となるＰＳデータが検出できないことをユーザに通知する通知部を備えることを特徴とする。
【発明の効果】
【００１０】
本発明によれば、放送局が送信するＲＤＳ放送において、ダイナミックＰＳにおける放送局名に特化せず、分割されているダイナミックＰＳをまとめて文章にして表示することができように構成しているので放送局が送信した文章を表示することができる。
【図面の簡単な説明】
【００１１】
【図１】本発明の実施の形態におけるラジオ受信機の構成を示すブロック図
【図２】本発明の実施の形態におけるラジオ受信機の処理を示すフロー図
【図３】本発明の実施の形態におけるラジオ受信機のＰＳデータの処理を示すフロー図
【図４】本発明の実施の形態におけるラジオ受信機のダイナミックＰＳデータの文章データを生成する第１の処理を示すフロー図
【図５】本発明の実施の形態におけるラジオ受信機のダイナミックＰＳデータの文章データを生成する第２の処理を示すフロー図
【図６】本発明の実施の形態におけるラジオ受信機のダイナミックＰＳデータの文章データを生成する第３の処理を示すフロー図
【発明を実施するための形態】
【００１２】
以下、本発明の実施の形態におけるラジオ受信機について図面を参照しながら説明する。図１は本発明の実施の形態におけるラジオ受信機の構成を示すブロック図である。
【００１３】
図１に示すように、本願発明のラジオ受信機Ｒは、ＦＭ／ＡＭフロントエンド１と、復調器２と、ＲＤＳデータデコーダ３と、制御マイコン４と、表示装置５と、入力装置６と、メモリ装置７と、オーディオアンプ８と、アンテナ９と、スピーカ１０とを備えて構成されている。
【００１４】
ここで、ＦＭ／ＡＭフロントエンド１は、制御マイコンから周波数制御信号に基づいてアンテナ９のＦＭ受信電波の中から選局周波数のＦＭ受信電波を中間周波数信号（ＩＦ信号）へ変換して、復調器２へ送信することができるように構成されている。
【００１５】
復調器２は、ＦＭ／ＡＭフロントエンド１からの中間周波信号を復調し、かつ復調後の信号をラジオ放送の信号とＲＤＳ放送の信号とに分離し、この分離した復調信号はそれぞれオーディオアンプ８及びＲＤＳデータデコーダ３へ送信することができるように構成されている。
【００１６】
ＲＤＳデータデコーダ３は、復調器２からのデータ放送の復調信号を復号して、ＰＳ、ラジオテキストやＴＭＣ（Ｔｒａｆｆｉｃ  Ｍｅｓｓａｇｅ  Ｃｈａｎｎｅｌ：交通メッセージチャンネル）情報を含む各種情報を抽出し制御マイコン４へ送ることができるように構成されている。
【００１７】
制御マイコン（制御部）４は、表示装置５に表示画面を生成するための表示データを送ることができるように構成され、また、制御マイコン４は、入力装置６におけるユーザ操
作を検出して該ユーザ操作に対応してラジオ受信機Ｒの動作を制御する処理を行うことができ、また、取得したＰＳデータから放送局が送出したメッセージを構成することができるように構成されている。
【００１８】
表示装置５は、放送局情報やＲＤＳデータで送信された情報を表示するように構成されたものであり、例えば、液晶ディスプレイから構成されている。
【００１９】
入力装置６は、ラジオ受信機Ｒに対してユーザが入力操作を行うことができるように構成されている。なお、入力装置はボタンを押して入力するものや赤外線通信などを使ったリモコンなどを含む。
【００２０】
メモリ装置７は、ＲＯＭ及びＲＡＭを含み、ＲＯＭには、制御マイコン４が実行するプログラムや所定のデータ等が記録され、ＲＡＭには、制御マイコン４が所定の処理や演算を行なう際に、データの一時的な記憶場所として使用することができるように構成されている。また、これらのＲＯＭ／ＲＡＭは制御マイコン４に内蔵されているものも含む。
【００２１】
オーディオアンプ８は、制御マイコン４からの音量制御信号に基づいて復調器２からの復調信号を増幅してスピーカ１０へ送信することで、ラジオ受信機Ｒで選択しているＦＭ放送におけるラジオ番組の音がスピーカ１０から出力されるように構成されている。
【００２２】
アンテナ９は、放送局から放送電波を受信することができるように構成されている。なお、アンテナ９で受信されるＦＭ電波の中には、ラジオ放送（ラジオ番組放送）と共にＲＤＳ規格のデータ放送を含むＦＭ放送及びラジオ放送のみでデータ放送は含まないＦＭ放送が混在しているものとする。
【００２３】
スピーカ１０は、オーディオアンプ８から出力された復調信号を出力することができるように構成されている。
【００２４】
次にこのように構成された本発明のラジオ受信機Ｒの処理動作について図面を用いて詳細に説明する。まず、図２は本発明の実施の形態におけるラジオ受信機の制御マイコン４における基本処理手順を示すフロー図である。
【００２５】
図２に示すように本発明のラジオ受信機Ｒは、前回取得したＰＳデータと新たに取得したＰＳデータから放送局から送信されるＰＳデータが動的に変化しない固定した通常ＰＳデータが送信されているか、それとも動的に変化するダイナミックＰＳデータが送信されているか判定する（Ｓ１１）。Ｓ１２の判定において、ダイナミックＰＳデータと判定した場合は（Ｓ１２、ＹＥＳ）、Ｓ１３へ遷移する。
【００２６】
一方、通常ＰＳデータと判定した場合は（Ｓ１２、ＮＯ）、取得した通常ＰＳデータを表示装置５に表示するために制御マイコン４がメモリ装置７に本データを記憶する（Ｓ１９）。
【００２７】
Ｓ１２においてダイナミックＰＳデータと判定すると（Ｓ１２、ＹＥＳ）、Ｓ１３ではその情報を用いて、制御マイコン４は取得したＰＳデータが放送局から新たな文章データとして送出されたＰＳデータであることを区別できるようにしており（Ｓ１３）、ダイナミックＰＳが一巡済みである場合は（Ｓ１３、ＮＯ）、Ｓ１７へ遷移する。一方、一巡済みでない場合は（Ｓ１３、ＹＥＳ）、Ｓ１４へ遷移する。
【００２８】
Ｓ１４において、制御マイコン４がメモリ装置７に記憶しているダイナミックＰＳデータの文章データ（以下、「表示用文章データ」という）を読み出し、読み出した表示用文
章データと今回新たに取得したＰＳデータから表示用文章データの連続性を判定し、表示装置５に表示するための表示用文章データを生成する。
【００２９】
Ｓ１５では、制御マイコン４はダイナミックＰＳ  表示用文章データ処理（Ｓ１４）において生成された表示用文章データを表示装置５に文章データとして表示するために、制御マイコン４がメモリ装置７に本データを記憶する（Ｓ１５）。このとき、ＰＳデータ記憶処理（Ｓ１９）において記憶したデータと区別できるように、通常ＰＳデータによるデータなのか、ダイナミックＰＳによる文章データなのかを判別できる情報も合せて記憶するようにする。
【００３０】
また、Ｓ１７においては、制御マイコン４はＳ１３において、ダイナミックＰＳによる文章データが一巡していることが判定できているため（Ｓ１３、ＮＯ）、放送局から新たなメッセージとしてＰＳデータが送出されているか否かを確認するために、今回取得したＰＳデータが表示用文章データに含まれているか検索する（Ｓ１７）。制御マイコン４が表示用文章データに取得したＰＳデータが含まれていることが確認できた場合は（Ｓ１７、ＹＥＳ）、既に一度取得したＰＳデータと判断し、表示用文章データを更新する必要がないため、取得したＰＳデータを破棄すると共に本処理を終了する。制御マイコン４が表示用文章データに取得したＰＳデータが含まれていることが確認できなかった場合は（Ｓ１７、ＮＯ）、制御マイコン４は取得したＰＳデータが放送局から新たなメッセージが送出された判断しＳ１８へ遷移する。
【００３１】
Ｓ１８では、制御マイコン４が既にメモリ装置７に記憶しているダイナミックＰＳによる表示用文章データとは異なる文章データが放送局から送出されていることから、メモリ装置７に記憶されている表示用文章データを全てクリアする。そして制御マイコン４は今回取得ＰＳデータをまず通常ＰＳデータとして表示用文章データとしてメモリ装置７に記憶する。このときに合せて、制御マイコン４は次の新しい文章データを構築するために、表示用文章データ候補リストもクリアした後、本リストの先頭に取得したＰＳデータを登録し、メモリ装置７に記憶する。
【００３２】
なお、制御マイコン４が表示用文章データを新たな文章データに更新するタイミングとして、受信状況などによりある文章データが全て取得した後、すぐに新たな文章データが送信されるケースも考えられるため、一定数のＰＳデータが取得できてから、あるいは一定時間経過してからなどの条件によって、メモリ装置７に記憶されている表示用文章データを新たな文章データを更新する方針にしてもよい。
【００３３】
最後にＳ１６にて、放送局から送出された放送局名称またはメッセージなどの文章情報をユーザに知らせるためにＳ１５、Ｓ１８、Ｓ１９のいずれかの処理で記憶した表示用文章データを制御マイコン４が読み取り、制御マイコン４が読み取った表示データを表示装置５に送信する。表示装置５はその送信された表示データを用いて、ユーザに放送局から送出されたの文章情報を伝達することが出来るようになる。
【００３４】
表示装置５において、放送局がダイナミックＰＳによって全ての文章データを送出するには時間を要するため、ラジオ受信機Ｒが取得した表示用文章データがまだ途中であることをユーザに示すために、表示用文章データの最後尾にハイフン（−）、アスタリスク（＊）、コンマ（．）など記号を数文字連結させて、表示装置５に情報を表示する方式をとってもよい。
【００３５】
また、制御マイコン４は、放送局から送出される文章データに含まれるＰＳデータあるいはその他のグループタイプデータからどのＰＳデータが文章の先頭になるか判断する情報がない。このため、一番簡単な方法として、表示装置５は常にリングスクロール方式で
放送局から送出されたメッセージを表示する方式をとってもよい。
【００３６】
あるいは、制御マイコン４は表示用文章データの各ＰＳデータ間で計測したＰＳデータ取得経過時間のうち、もっとも取得時間の間隔が長かったＰＳデータを先頭とみなし、表示装置５が文章データを表示できるようにしてもよい。
さらに、ユーザが先頭を指定できるインターフェイスを用意し、ユーザが指定したＰＳデータを先頭と判断して表示できるようにしてもよい。
【００３７】
また、ＤＡＢ（Ｄｉｇｉｔａｌ Ａｕｄｉｏ Ｂｒｏａｄｃａｓｔ：デジタルラジオ放送。以下、ＤＡＢという）が同時に搭載されている場合は、ＤＡＢで放送されているサイマルサービスのサービスラベルから放送局名を判断し、それと合致するＰＳデータを先頭と判断して表示できるようにしてもよい。
【００３８】
次に、本発明の実施の形態におけるラジオ受信において、放送局から送出されたＰＳデータが通常ＰＳとして送信されたか、ダイナミックＰＳとして送信されたかを判定する処理手順の手順について詳細に説明する。図３は、ダイナミックＰＳとして送信されたか否かを判定する処理手順を示すフロー図である。なお、図２のＳ１１に関する処理を詳述したフロー図である。
【００３９】
ＲＤＳデータには、それぞれに目的に応じたデータを送信するためにグループタイプが厳密に規定されている。ＰＳデータはそれらグループタイプの内、０Ａと０Ｂに含まれる。具体的には、グループタイプ０Ａと０Ｂに共通して含まれる、２バイトからなるＰｒｏｇｒａｍ  ｓｅｒｖｉｃｅ ｎａｍｅ ｓｅｇｍｅｎｔとそのセグメントが何文字目かを示すＳｅｇｍｅｎｔ ａｄｄｒｅｓｓとから８バイト分のデータを収集することでＰＳデータが生成できる。
【００４０】
図３に示すようにダイナミックＰＳとして送信されたか否かを判定する処理は、Ｓ２１で、ＲＤＳデータデコーダ３から抽出されたグループタイプデータを制御マイコン４に送信する。制御マイコン４はＲＤＳデータデコーダ３から送信されたグループタイプデータのうち、０Ａまたは０Ｂのグループタイプを用いて、Ｐｒｏｇｒａｍ ｓｅｒｖｉｃｅ ｎａｍｅ ｓｅｇｍｅｎｔとＳｅｇｍｅｎｔ ａｄｄｒｅｓｓの２バイトを抽出し、ＰＳデータを保持していく。この処理を繰り返し実行し、ＰＳデータの８バイト分のデータが取得できたら、ＰＳデータ取得が完了し、新たなＰＳデータが取得できたと判断する。新たなＰＳデータが取得できた場合、制御マイコン４はメモリ装置７に記憶されているそれまで最新であったＰＳデータを前回取得したＰＳデータとしてメモリ装置７に記憶し、今回新たに取得したＰＳデータを最新ＰＳデータとしてメモリ装置７に記憶する。
【００４１】
また、制御マイコン４は、前回ＰＳデータを取得してから今回新たにＰＳデータを取得するまでの経過時間を算出し（以下、ＰＳデータ取得経過時間という）、メモリ装置７にＰＳデータ取得経過時間として記憶し、本処理を終了する。制御マイコン４は、これら２つのＰＳデータとＰＳデータ取得経過時間を活用して、表示用文章データの連続性を判定し、表示用文章データとして生成する。
【００４２】
Ｓ２１以降の処理にて、制御マイコン４は今回新たに取得できたＰＳデータを用いて、通常ＰＳデータであるか、ダイナミックＰＳデータであるかを判定していく。これらのＰＳデータを区別する方法として、メモリ装置７に記憶されている表示用文章データと比較することにより判断する。まず初めに、制御マイコン４はＳ２２においてメモリ装置７に記憶されている表示用文章データが通常ＰＳデータであるか判定する。メモリ装置７に記憶されている表示用文章データが通常ＰＳデータである場合は（Ｓ２２、ＹＥＳ）、記憶されている通常ＰＳデータと今回取得されたＰＳデータが完全に一致するか判定する（Ｓ
２３）。メモリ装置７に記憶されている表示用文章データが通常ＰＳデータでない場合は（Ｓ２２、ＮＯ）、メモリ装置７に記憶されている表示データがダイナミックＰＳによる文章データであるか判定する（Ｓ２６）。
【００４３】
Ｓ２３において、制御マイコン４は、メモリ装置７に記憶されている表示用文章データがＳ２１にて新たに取得したＰＳデータが完全に一致する場合は（Ｓ２３、ＹＥＳ）、ＰＳデータに変化なしとして通常ＰＳデータと判断し（Ｓ２４）、本処理を終了する。一方、メモリ装置７に記憶されている表示用文章データがＳ２１にて新たに取得したＰＳデータが完全に一致しない場合は（Ｓ２３、ＮＯ）、ＰＳデータに変化ありと判断でき、ダイナミックＰＳデータと判断し（Ｓ２５）、本処理を終了する。
【００４４】
Ｓ２６において、制御マイコン４は、メモリ装置７に記憶されている表示用文章データがダイナミックＰＳによる文章データである場合は（Ｓ２６、ＹＥＳ）、放送局からダイナミックＰＳが継続しているとみなし、ダイナミックＰＳデータであると判断し（Ｓ２５）、本処理を終了する。メモリ装置７に記憶されている表示用文章データがダイナミックＰＳによる文章データでない場合は（Ｓ２６、ＮＯ）、データが何も記憶されている状態となり、通常ＰＳデータと判断し（Ｓ２７）、本処理を終了する。
【００４５】
ここでの判断結果がダイナミックＰＳ  表示用文章データ処理（Ｓ１４）およびダイナミックＰＳ  表示用文章データ記憶処理（Ｓ１５）で使用される。
【００４６】
図４は本発明の実施の形態におけるラジオ受信において、制御マイコン４はＳ１１においてメモリ装置７に記憶した前回取得ＰＳデータと、新たに取得したＰＳデータと、ＰＳデータ取得経過時間とを用いて、表示用文章データを生成する処理手順を示すフロー図である。なお、図２のＳ１４に関する処理を詳述したフロー図である。
【００４７】
この処理では、特に車載器や携帯ラジオなどの移動体によるラジオ受信機では電波状況が時々刻々と変化するため、グループタイプ０Ａまたは０Ｂのデータがなかなか取得できず、ＰＳデータを取得するまでに時間がかかるケースが考えられる。その場合、ラジオ受信機は放送局が送出しているＰＳデータを途中取得できいないことが十分考えられ、単純にラジオ受信機Ｒが取得したＰＳデータを順に連結して表示用文章データを生成することはできない。
【００４８】
しかしながら、本発明のラジオ受信機Ｒでは、ダイナミックＰＳでは数秒間隔でＰＳデータが放送局から送出される特徴を鑑み、ＰＳデータ取得経過時間がある一定時間経過している場合は、制御マイコン４がこれらのＰＳデータを取得した間に放送局が送出した異なるＰＳデータが取得できなかったと判断するようにしている。
【００４９】
このように制御マイコン４がある時間において、途中ＰＳデータが取得できなかったと判断したＰＳデータは以降、メモリ装置７に記憶されている表示用文章データと連結できるように、前回取得したＰＳデータと、今回取得したＰＳデータと、ＰＳ取得経過時間とから以降新たに取得したＰＳデータとを組み合わせて表示用文章データと連結できるようにするための表示用文章データ候補リストをメモリ装置７に用意する。
【００５０】
図４は、本発明の実施の形態におけるラジオ受信機のダイナミックＰＳデータの文章データを生成する第１の処理を示すフロー図である。図４に示すように、Ｓ３１において、制御マイコン４はメモリ装置７に記憶している表示用文章データと、今回取得したＰＳデータとを連結できるかと判断するために、まず初めに前回取得したＰＳデータが表示用文章データに既に登録されているＰＳデータであるかを判断する。制御マイコン４が前回取得したＰＳデータを表示用文章データに含まれていると判断した場合は（Ｓ３１、ＹＥＳ
）、 Ｓ３２へ遷移する。一方、制御マイコン４が前回取得したＰＳデータを表示用文章データに含まれていないと判断した場合は（Ｓ３１、ＮＯ）、Ｓ３６へ遷移する。
【００５１】
Ｓ３２において、制御マイコン４は今回取得したＰＳデータが表示用文章データに含まれているか検索する。このＰＳデータが表示用文章データに含まれているとダイナミックＰＳによる文章データが一巡した可能性があると考えられる。制御マイコン４が今回取得したＰＳデータが表示用文章データに含まれていると判断した場合は（Ｓ３２、ＹＥＳ）、Ｓ３３へ遷移する。一方、制御マイコン４が含まれていないと判断した場合は（Ｓ３２、ＮＯ）、Ｓ３４へ遷移する。
【００５２】
Ｓ３３において、Ｓ３１の判定結果とＳ３２の判定結果から、制御マイコン４は前回取得したＰＳデータと今回取得したＰＳデータが表示用文章データに含まれていることが判断できている。このことから制御マイコン４は前回取得したＰＳデータが表示用文章データの最後尾のＰＳデータであり、かつ今回取得したＰＳデータが表示用文章データの先頭のＰＳデータであることを確認できれば、これまで取得したダイナミックＰＳの文章データが一巡したと判定することができ、制御マイコン４は一巡済であることが分かる情報をメモリ装置７に記憶し、本処理を終了する。
【００５３】
また、表示用文章データの先頭および最後尾以外のＰＳデータの連続性はＳ３６の処理において、すべて連続性が確認できているため、上記判定方法による確実にダイナミックＰＳの文章データが一巡していることが判定できる。
【００５４】
Ｓ３４において、制御マイコン４はＰＳデータ取得経過時間から前回ＰＳデータと新たに取得したＰＳデータが表示用文章データの連続性があるかを判断する。ＰＳデータ取得経過時間がある一定時間内である場合は（Ｓ３４、ＹＥＳ）、制御マイコン４は２つのＰＳデータは放送局から連続して送出されたＰＳデータであると判断し、表示用文章データとして連結するためにＳ３５へ遷移する。
【００５５】
一方、ＰＳデータ取得経過時間がある一定時間を超えている場合は（Ｓ３４、ＮＯ）、制御マイコン４はこの経過時間内に放送局から２つのＰＳデータとは異なるＰＳデータが送出され、ラジオ受信機Ｒが取得できなかったＰＳデータをあるとみなし、Ｓ３６へ遷移する。
【００５６】
Ｓ３５において、ダイナミックＰＳでは表示装置５に文字をスクロールさせたかのように見せかけるためにＰＳデータを送信するパターン（以下、文字スクロール方式という）と、ＰＳデータ毎に文字列を変更し、受信したＰＳデータを組み合わせて文章を組み立てるパターン（以下、単語スクロール方式という）がある。
【００５７】
前回取得したＰＳデータと今回取得したＰＳデータとを用いて、制御マイコン４はどちらかのパターンであるかを判断し、表示用文章データを更新する。
なお、本処理の詳細については、図５にて詳述することとする。
【００５８】
Ｓ３６では、制御マイコン４は前回取得したＰＳデータと、今回取得したＰＳデータと、ＰＳデータ取得経過時間とから、今回取得したＰＳデータを表示用文章データに連結できるように検索するための表示文章データ候補リストに登録する。本登録処理後、登録リストから表示用文章データとなりうるＰＳデータを検索し、検索結果から表示用文章データを更新し、本処理を終了する。本処理の詳細については、図６にて詳述することとする。
【００５９】
図５は本発明の実施の形態におけるラジオ受信において、制御マイコン４がＳ１１にお
いてメモリ装置７に記憶した前回取得ＰＳデータと、新たに取得したＰＳデータの連続性があることを判断でき、これら２つのＰＳデータを連結し、表示用文章データを更新する処理手順を示すフロー図であり、図４のＳ３５に関する処理を詳述したフローチャートである。
【００６０】
Ｓ４１では、放送局が文字スクロール方式と単語スクロール方式のいずれでＰＳデータを送出するかを判定するために、制御マイコン４が今回取得したＰＳデータが前回取得したＰＳデータの先頭文字から何文字目からずれたところから一致するか検索し、どちらの方式であるか判定するようにしている。
【００６１】
ただし、この検索処理において、制御マイコン４が前回取得したＰＳデータの先頭から８文字目まで検索するようにすると、偶然最後の数文字で一致した場合、誤ってＰＳデータを連結することが考えられる。これを避けるために、制御マイコン４に前回取得ＰＳデータの先頭から何文字目まで検索するか指定できるようにしてもよいし、前後数個のＰＳデータを活用して、文字列の連続性を判定するようにしてもよい。
【００６２】
このとき、制御マイコン４が今回取得したＰＳデータが前回取得したＰＳデータの先頭文字から何文字目からずれたところからで一致したと判定した場合は（Ｓ４１、ＹＥＳ）、文字スクロール方式によるダイナミックＰＳであると判断し、Ｓ４２へ遷移する。
【００６３】
一方、制御マイコン４が一致しないと判定した場合は（Ｓ４１、ＮＯ）、単語スクロール方式によるダイナミックＰＳであるので、前回取得したＰＳデータの最後尾にスペース文字を挟んで、今回取得したＰＳデータを連結し、表示用文章データを更新し（Ｓ４５）、本処理を終了する。
【００６４】
Ｓ４２において、Ｓ４１で検索した結果から制御マイコン４が表示用文章データを更新するために、制御マイコン４は今回取得したＰＳデータを前回取得したＰＳデータのＳ４１の結果の文字数目から連結させる。
【００６５】
Ｓ４３では、文字スクロール方式では表示用文章データの先頭ＰＳデータと最後尾のＰＳデータでもＳ４１と同様に状態になるため、制御マイコン４は文章データとして送信されるダイナミックＰＳが一巡しているか判定できる。本処理では今回取得したＰＳデータが表示用文章データの最後尾のＰＳデータとなるか判定するためにＳ４１と同じ判定をする。
【００６６】
このとき、制御マイコン４が表示用文章データの先頭ＰＳデータの先頭文字が今回取得したＰＳデータの先頭から何文字目からずれたところからで一致したと判定した場合は（Ｓ４３、ＹＥＳ）、Ｓ４４へ遷移する。一方、制御マイコン４が一致しないと判定した場合は（Ｓ４３、ＮＯ）、まだダイナミックＰＳデータは一巡していないと判定し、本処理を終了する。
【００６７】
Ｓ４４では、制御マイコン４はダイナミックＰＳで送信される文章データのＰＳデータが一通り取得できたとは判定する。このとき、今回取得したＰＳデータのうち、Ｓ４３で検索した最後の文字数分が表示用文章データを重複しているため、制御マイコン４は今回取得したＰＳデータのうち、表示用文章データの先頭ＰＳデータと重複した部分を削除し、表示用文章データを更新する。また、制御マイコン４はダイナミックＰＳが一巡したことも確認できているので、メモリ装置７の一巡済み状態を更新し、本処理を終了する。
【００６８】
Ｓ４４の表示用文章データを更新するときに、今回取得したＰＳデータのうち、表示用文章データの先頭ＰＳデータと重複した部分を削除しているが、表示用文章データの先頭
ＰＳデータが単語の途中からの場合も考えれるため、表示用文章データの先頭ＰＳデータが単語の先頭から始まるように表示用文章データを更新するようにしている。
【００６９】
図６では、図４のＳ３６に関する表示用文章データ候補リストの登録処理を詳述する。表示用文章データ候補リストは、表示用文章データと取得したＰＳデータとの間に文章データとしての連続性が確認できなったＰＳデータを保持する。これは、ラジオ受信機Ｒが新たに取得したＰＳデータとを用いて、本リストに登録されているＰＳデータが表示用文章データと連続性を確認できるようにするためである。
【００７０】
図６において、「１．表示用文章データ候補リスト[登録前]」は、ＰＳデータ３まで取得した時点での表示用文章データ候補リストの状態を示す。その後、ラジオ受信機Ｒが図の中央に記載しているＰＳデータ４を受信している。
【００７１】
制御マイコン４は取得したＰＳデータ４を用いて、「１、表示用文章データ候補リスト［登録前］」のリストにＰＳデータ４を登録した結果が「２、表示用文章データ候補リスト［登録後］」となることを示している。
【００７２】
まず、表示用文章データ候補リストは表示用文章データ候補リストの先頭には表示用文章データの最後尾のＰＳデータ（この図ではＰＳデータ１となる）を登録している。これは以降取得したＰＳデータを表示用文章データと連続性を確認しやすくするためである。
【００７３】
「１、表示用文章データ候補リスト［登録前］」では、以降、ＰＳデータ２、ＰＳデータ３が取得できているが、ＰＳデータ２とＰＳデータ３のＰＳデータ取得経過時間が長いため、前回ＰＳデータとの連続性が［なし］と判定されている。このため、ＰＳデータ１以降取得したＰＳデータでは、表示用文章データの連続性があることが確認されていないことが分かる。
【００７４】
その後、ラジオ受信機Ｒが再度ＰＳデータ１が受信し、引き続き３秒後にＰＳデータ４が受信できたとする。制御マイコン４はＰＳデータ４を取得したときの情報として、図中央に記載した通りとなり、前回取得ＰＳデータがＰＳデータ１、ＰＳデータ取得経過時間が３秒であることがＰＳデータ４を取得したときに判断できる（「２、表示用文章データ候補リスト［登録後］」前回取得ＰＳデータ４＝ＰＳデータ１）。
【００７５】
このことから、制御マイコン４はまず、ＰＳデータ取得経過時間からＰＳデータ１との連続性があるということが確認でき、ＰＳデータ４を表示用文章データと判断することができる（「２、表示用文章データ候補リスト［登録後］」ＰＳデータ４の表示用文章データ＝ＹＥＳ）。
【００７６】
また、ＰＳデータ２の前回取得ＰＳデータがＰＳデータ１であることと、ＰＳデータ取得時間がＰＳデータ１を取得してから６秒経過後に取得できていたことから、放送局はＰＳデータ４を送信した後、ＰＳデータ２を送信していることが推測できる。
【００７７】
この推測を用いて、制御マイコン４はＰＳデータ２の前回取得ＰＳデータをＰＳデータ４に更新する。（「２、表示用文章データ候補リスト［登録後］」ＰＳデータ２の前回取得ＰＳデータ＝ＰＳデータ４）。
【００７８】
次はＰＳデータ４のＰＳデータ取得時間が３秒であることから、制御マイコン４はＰＳデータ２のＰＳデータ取得時間を３秒に更新し（「２、表示用文章データ候補リスト［登録後］」  ＰＳデータ２のＰＳデータ取得経過時間＝３秒）、この結果からＰＳデータ２もＰＳデータ４と連続性があると制御マイコン４は判断することができる（「２．表示用
文章データ候補リスト［登録後］」  ＰＳデータ２の前回ＰＳデータとの連続性＝ＹＥＳ）。
【００７９】
最後にＰＳデータ１から順に表示用文章データとなるＰＳデータを前回ＰＳデータとの連続性＝ＹＥＳを条件に探索すると、ＰＳデータ４、ＰＳデータ２が表示用文章データと判定される。この結果から、制御マイコン４は各ＰＳデータ毎に図５で示した同じ処理を用いて、表示用文章データが更新することができる。
【００８０】
最後に、制御マイコン４はＰＳデータ２を表示用文章データの最後尾のＰＳデータになることから、表示用文章データ候補リストからＰＳデータ１、ＰＳデータ４を削除し、ＰＳデータ２を本リストの先頭に更新して、次のＰＳデータを取得できるのを待つこととなる。
【００８１】
以上のように本実施の形態によれば、放送局がダイナミックＰＳとしてＰＳデータを送信した文章データを本発明のラジオ受信機Ｒは文章データとしてメモリ装置７に記憶し、表示装置５に放送局がユーザに伝えたい文章データをそのまま表示することができる構成を備えている。このことにより、ラジオ受信機Ｒはいつでもユーザは放送局が伝えたいメッセージの文章として確認することができるという効果が得られる。
【産業上の利用可能性】
【００８２】
本発明のダイナミックＰＳによる文章表示は０Ａ／０Ｂグループデータのみで情報を構成できる。ラジオテキストの場合、２Ａ／２Ｂ、３Ａ、１１Ａの他のグループデータを取り扱う必要があり、表示装置やメモリ装置などの制約などにより、これらグループデータが取り込むことができないラジオ受信機として有用である。
【符号の説明】
【００８３】
１    ＦＭ／ＡＭフロントエンド
２    復調器
３    ＲＤＳデータデコーダ
４    制御マイコン
５    表示装置
６    入力装置
７    メモリ装置
８    オーディオアンプ
９    アンテナ
１０  スピーカ
Ｒ    ラジオ受信機
【図１】
2012182693.tif 000003
【図２】
2012182693.tif 000004
【図３】
2012182693.tif 000005
【図４】
2012182693.tif 000006
【図５】
2012182693.tif 000007
【図６】
2012182693.tif 000008